【手続補正書】
【提出日】平成17年7月28日(2005.7.28)
【手続補正１】
【補正対象書類名】明細書
【補正対象項目名】特許請求の範囲
【補正方法】変更
【補正の内容】
【特許請求の範囲】
【請求項１】
水槽、この水槽から水を供給される気化エレメント及びこの気化エレメントを通して送風を外部に放出する送風ファンを備えた気化式加湿装置において、
前記気化エレメントは、断面略鋸刃形状の気化エレメント部と、
この気化エレメント部を内部に保持し、前後、上下に開口部を有する保持枠と、
この保持枠に設けられ、前記気化エレメント部の前記略鋸刃形状に合せた櫛歯を有する複数の櫛状板と、
を備え、
前記保持枠に前記櫛状板を一体に成形するとともに、前記気化エレメント部を、前記保持枠及び前記櫛状板の前記櫛歯にインサート成形したことを特徴とする気化式加湿装置。
【請求項２】
水槽、この水槽から水を供給される気化エレメント及びこの気化エレメントを通して送風を外部に放出する送風ファンを備えた気化式加湿装置において、
前記気化エレメントは、断面略鋸刃形状の気化エレメント部と、
この気化エレメント部を内部に保持し、前後、上下に開口部を有する保持枠と、
この保持枠の前側の開口部に、前記気化エレメント部の鋸刃形状の山の部分に沿って設けられた複数の補強柱と
を備え、
前記保持枠に前記補強柱を一体に成形するとともに、前記気化エレメント部を、前記保持枠及び前記補強柱にインサート成形したことを特徴とする気化式加湿装置。
【請求項３】
水槽、この水槽から水を供給される気化エレメント及びこの気化エレメントを通して送風を外部に放出する送風ファンを備えた気化式加湿装置において、
前記気化エレメントは、断面略鋸刃形状の気化エレメント部と、
この気化エレメント部を内部に保持し、前後、上下に開口部を有する保持枠と、
この保持枠に設けられ、前記気化エレメント部の前記略鋸刃形状に合せた櫛歯を有する複数の櫛状板と、
前記保持枠の前側の開口部に、前記気化エレメント部の鋸刃形状の山の部分に沿って設けられた複数の補強柱と、
を備え、
前記保持枠に、前記櫛状板及び補強柱を一体に成形するとともに、前記気化エレメント部を、前記保持枠、前記櫛状板の前記櫛歯及び補強柱にインサート成形したことを特徴とする気化式加湿装置。
【請求項４】
保持枠を熱可塑性樹脂としたことを特徴とする請求項１〜３のいずれかに記載の気化式加湿装置。
【手続補正２】
【補正対象書類名】明細書
【補正対象項目名】０００８
【補正方法】変更
【補正の内容】
【０００８】
【課題を解決するための手段】
本発明の気化式加湿装置は、
水槽、この水槽から水を供給される気化エレメント及びこの気化エレメントを通して送風を外部に放出する送風ファンを備えた気化式加湿装置において、前記気化エレメントは、断面略鋸刃形状の気化エレメント部と、この気化エレメント部を内部に保持し、前後、上下に開口部を有する保持枠と、この保持枠に設けられ、前記気化エレメント部の前記略鋸刃形状に合せた櫛歯を有する複数の櫛状板と、を備え、前記保持枠に前記櫛状板を一体に成形するとともに、前記気化エレメント部を、前記保持枠及び前記櫛状板の前記櫛歯にインサート成形したものである。
【手続補正３】
【補正対象書類名】明細書
【補正対象項目名】０００９
【補正方法】変更
【補正の内容】
【０００９】
また、水槽、この水槽から水を供給される気化エレメント及びこの気化エレメントを通して送風を外部に放出する送風ファンを備えた気化式加湿装置において、前記気化エレメントは、断面略鋸刃形状の気化エレメント部と、この気化エレメント部を内部に保持し、前後、上下に開口部を有する保持枠と、この保持枠の前側の開口部に、前記気化エレメント部の鋸刃形状の山の部分に沿って設けられた複数の補強柱と、を備え、前記保持枠に前記補強柱を一体に成形するとともに、前記気化エレメント部を、前記保持枠及び前記補強柱にインサート成形したものである。
【手続補正４】
【補正対象書類名】明細書
【補正対象項目名】００１０
【補正方法】変更
【補正の内容】
【００１０】
また、水槽、この水槽から水を供給される気化エレメント及びこの気化エレメントを通して送風を外部に放出する送風ファンを備えた気化式加湿装置において、前記気化エレメントは、断面略鋸刃形状の気化エレメント部と、この気化エレメント部を内部に保持し、前後、上下に開口部を有する保持枠と、この保持枠に設けられ、前記気化エレメント部の前記略鋸刃形状に合せた櫛歯を有する複数の櫛状板と、前記保持枠の前側の開口部に、前記気化エレメント部の鋸刃形状の山の部分に沿って設けられた複数の補強柱と、を備え、前記保持枠に、前記櫛状板及び補強柱を一体に成形するとともに、前記気化エレメント部を、前記保持枠、前記櫛状板の前記櫛歯及び補強柱にインサート成形したものである。
【手続補正５】
【補正対象書類名】明細書
【補正対象項目名】００２７
【補正方法】変更
【補正の内容】
【００２７】
【発明の効果】
以上のように、本発明によれば、水槽、この水槽から水を供給される気化エレメント及びこの気化エレメントを通して送風を外部に放出する送風ファンを備えた気化式加湿装置において、前記気化エレメントは、断面略鋸刃形状の気化エレメント部と、この気化エレメント部を内部に保持し、前後、上下に開口部を有する保持枠と、この保持枠に設けられ、前記気化エレメント部の前記略鋸刃形状に合せた櫛歯を有する複数の櫛状板と、を備え、前記保持枠に前記櫛状板を一体に成形するとともに、前記気化エレメント部を、前記保持枠及び前記櫛状板の前記櫛歯にインサート成形したので、気化エレメント部の形状を保持することができ安定した加湿量を確保することができる。
【手続補正６】
【補正対象書類名】明細書
【補正対象項目名】００２８
【補正方法】変更
【補正の内容】
【００２８】
また、水槽、この水槽から水を供給される気化エレメント及びこの気化エレメントを通して送風を外部に放出する送風ファンを備えた気化式加湿装置において、前記気化エレメントは、断面略鋸刃形状の気化エレメント部と、この気化エレメント部を内部に保持し、前後、上下に開口部を有する保持枠と、この保持枠の前側の開口部に、前記気化エレメント部の鋸刃形状の山の部分に沿って設けられた複数の補強柱と、を備え、前記保持枠に前記補強柱を一体に成形するとともに、前記気化エレメント部を、前記保持枠及び前記補強柱にインサート成形したので、気化エレメント部の形状を保持することができ安定した加湿量を確保することができる。
【手続補正７】
【補正対象書類名】明細書
【補正対象項目名】００２９
【補正方法】変更
【補正の内容】
【００２９】
また、水槽、この水槽から水を供給される気化エレメント及びこの気化エレメントを通して送風を外部に放出する送風ファンを備えた気化式加湿装置において、前記気化エレメントは、断面略鋸刃形状の気化エレメント部と、この気化エレメント部を内部に保持し、前後、上下に開口部を有する保持枠と、この保持枠に設けられ、前記気化エレメント部の前記略鋸刃形状に合せた櫛歯を有する複数の櫛状板と、前記保持枠の前側の開口部に、前記気化エレメント部の鋸刃形状の山の部分に沿って設けられた複数の補強柱と、を備え、前記保持枠に、前記櫛状板及び補強柱を一体に成形するとともに、前記気化エレメント部を、前記保持枠、前記櫛状板の前記櫛歯及び補強柱にインサート成形したので、気化エレメント部の形状をよりよく保持することができ、より安定した加湿量を確保することができる。